(57)【特許請求の範囲】
【請求項１】
受容開口を有し前記受容開口から第１のカード状記録媒体を挿抜自在に受容する受容部を有した本体部材と、
前記本体部材の上部に前記本体部材に対して揺動開閉自在に取り付けられるとともに、閉じた状態で第２のカード状記録媒体を前記受容部上方の前記本体部材の上面に平行に係止保持する蓋部材と、
前記本体部材に保持されて一端が前記受容部の下面から前記受容部内に向けて突出して第１接触端を形成し、他端が前記本体部材から前記本体部材の下面に向けて導出されて第１実装端を形成する第１コンタクトと、
前記本体部材に保持されて一端が前記受容部上方の前記本体部材から上方に突出して第２接触端を形成し、他端が前記本体部材から前記本体部材の下面に向けて導出されて第２実装端を形成する第２コンタクトとからなり、
前記第１のカード状記録媒体が前記受容部に装着されたときに、前記第１のカード状記録媒体の端子と前記第１接触端とが接続され、前記第１のカード状記録媒体と前記第１実装端が接続される第１の基板回路との間で情報伝達を行わせ、
前記蓋部材が閉じられて前記第２のカード状記録媒体が前記本体部材上部に装着されたときに、前記第２のカード状記録媒体の端子と前記第２接触端とが接続され、前記第２のカード状記録媒体と前記第２実装端が接続される第２の基板回路との間で情報伝達を行わせるカードコネクタであって、
前記第１のカード状記録媒体と前記第２のカード状記録媒体とは、前記装着状態における平面視において異なる形状であり、
前記第１の基板回路及び前記第２の基板回路は、同一の回路基板上に構成されたものであって、
前記第１のカード状記録媒体と前記第２のカード状記録媒体とを、同時に挿入して使用可能に構成され、
前記蓋部材は、前記第２のカード状記録媒体の挿入をガイドするガイド溝と、前記ガイド溝に摺動自在なスライドロックとを有することを特徴とするカードコネクタ。
【請求項２】
前記蓋部材を閉じて前記スライドロックを摺動移動させることにより、前記スライドロックの端部を突出させ前記本体部材と係合させることを特徴とする請求項１に記載のカードコネクタ。
【請求項３】
前記受容部上方の前記本体部材は前記第２のカード状記録媒体の保持側に窓状の開口部を有し、前記第２接触端が前記窓状の開口部から上方に付勢されて突出していることを特徴とする請求項１または２に記載のカードコネクタ。
【請求項４】
前記本体部材の前記第２実装端のいずれか一方の側に前記本体部材の下面から前記蓋部材の上方まで延びて前記本体部材と一体的に形成されたヒンジ部を有し、
前記ヒンジ部は、前記ヒンジ部の内壁面に設けられ前記蓋部材を開閉自在に支持する凹部を備えることを特徴とする請求項１から３のいずれかに記載のカードコネクタ。
【請求項５】
前記第１実装端と前記第２実装端とが前記本体部材における直交する二方向の面に設けられることを特徴とする請求項１から４のいずれかに記載のカードコネクタ。
【発明の詳細な説明】
【０００１】
【発明の属する技術分野】
本発明は、カード状の情報記録媒体を着脱自在に接続し、装着された情報記録媒体と基板に形成された情報処理回路との間で情報伝達を行わせるカードコネクタに関する。
【０００２】
【従来の技術】
情報化社会の進展の中、携帯電話や情報処理端末機器、映像機器等においては小型軽量化や記憶容量の高容量化、処理速度の高速化、消費電力の低電力化、処理機能の多様化などによって、機能が異なる多種類のカード状の情報記録媒体（以下、「カード」という）が規格化され使用されている。このようなカードとして、例えばＳＩＭカードやＳＤカード、メモリースティック、スマートメディア（いずれも登録商標）などがある。
【０００３】
近年では、このような各カード固有の機能を複合的に利用し、複数の機能を併せ持った製品の開発が進められている。このようなものとして、例えば、複数カード搭載型の携帯電話や多種類カード対応型の情報処理端末機器等がある。
【０００４】
【発明が解決しようとする課題】
上記のような各カードは、それぞれ異なる規格に基づいて構成されており、カードを処理基板に着脱自在に装着するカードコネクタもそれぞれ異なったものとなっている。このため、種類が異なる複数のカードを装着可能に構成するには、装着しようとするカードに適合した複数のカードコネクタを処理基板上に実装する必要があり、基板実装面積が増大するとともに、実装部材の増加に伴って組立工数が増加し、コストが上昇するなどの問題があった。
【０００５】
本発明は上記問題に鑑みて成されたものであり、組立工数を増加させることなく複数のカードを装着可能なカードコネクタを提供するとともに、さらに進んで実装面積を増大させることなく複数カードを装着可能なカードコネクタを提供することを目的とする。
【０００６】
【課題を解決するための手段】
上記目的達成のため、本発明のカードコネクタは、本体部材、蓋部材、第１コンタクト及び第２コンタクトからなる。本体部材には受容開口とこの受容開口から第１のカード状記録媒体を挿抜自在に受容する受容部を有している。蓋部材は本体部材の上部に本体部材に対して揺動開閉自在に取り付けられるとともに、閉じた状態で第２のカード状記録媒体を受容部上方の本体部材の上面に平行に係止保持する。第１コンタクトは本体部材に保持されて一端が受容部の下面から受容部内に向けて突出して第１接触端（例えば実施形態における接触部３１ａ）を形成し、他端が本体部材から本体部材の下面に向けて導出されて第１実装端（例えば実施形態におけるテール部３１ｂ）を形成する。また、第２コンタクトは本体部材に保持されて一端が受容部上方の本体部材から上方に突出して第２接触端（例えば実施形態における接触部３２ａ）を形成し、他端が本体部材から本体部材の下面に向けて導出されて第２実装端（例えば実施形態におけるテール部３２ｂ）を形成する。そして、第１のカード状記録媒体が受容部に装着されたときに、第１のカード状記録媒体の端子と第１接触端とが受容部内で接続され、第１のカード状記録媒体と第１実装端が接続される基板回路との間で情報伝達を行わせ、蓋部材が閉じられて第２のカード状記録媒体が本体部材上部に装着されたときに、第２のカード状記録媒体の端子と第２接触端とが接続され、第２のカード状記録媒体と第２実装端が接続される基板回路との間で情報伝達を行わせるカードコネクタであって、第１のカード状記録媒体と第２のカード状記録媒体とは、装着状態における平面視において異なる形状であり、第１の基板回路及び第２の基板回路は、同一の回路基板上に構成されたものであって、第１のカード状記録媒体と第２のカード状記録媒体とを、同時に挿入して使用可能に構成され、蓋部材は、第２のカード状記録媒体の挿入をガイドするガイド溝と、ガイド溝に摺動自在なスライドロックとを有する。
【０００７】
上記構成のカードコネクタでは、本体部材の受容部とこの受容部内に突出する第１コンタクトとによって第１のコネクタ部（以下「第１コネクタ部」という）が構成され、この第１コネクタ部の上方には、本体部材の受容部上方と蓋部材及び受容部上方から突出する第２コンタクトによって第２のコネクタ部（以下「第２コネクタ部」という）が構成される。そして、第１のカード状記録媒体が第１コネクタ部に挿入されて装着され、第２のカード状記録媒体が第２コネクタ部に蓋部材に係止されて装着されたときに、それぞれのカード状記録媒体とこのカードコネクタが実装された基板回路との間で情報伝達を行う。すなわち、このカードコネクタは一体の本体部材の上下に第１コネクタ部と第２コネクタ部とが段重ねに設けられて構成される。従って、基板実装面積を増加させることなく二つのカード状記録媒体を着脱自在に装着することができ、また、部品点数や組立工数等を増加させずにローコストなコネクタ及び基板を提供することができる。
【０００８】
上記構成のカードコネクタでは、蓋部材を閉じてスライドロックを摺動移動させることにより、スライドロックの端部を突出させ本体部材と係合させることが好ましい。
また、上記構成のカードコネクタでは、受容部上方の本体部材は第２のカード状記録媒体の保持側に窓状の開口部を有し、第２接触端が窓状の開口部から上方に付勢されて突出していることが好ましい。
さらに、上記構成のカードコネクタでは、本体部材の第２実装端のいずれか一方の側に本体部材の下面から蓋部材の上方まで延びて本体部材と一体的に形成されたヒンジ部を有し、ヒンジ部は、ヒンジ部の内壁面に設けられ蓋部材を開閉自在に支持する凹部を備えることも好ましい。
なお、上記カードコネクタにおける第１実装端と第２実装端とを本体部材における直交する二方向の面に設ける構成とすることが好ましい。このような構成によれば、例えば、第１コンタクト及び第２コンタクトを本体部材に相互に直交方向に延びて配設するとともに、それぞれのコンタクトの端部を基板方向に折り曲げて実装端を形成するという簡明な構成を用いることができる。そしてコンタクトが延びる直交する二方向の２面に、またいずれか一方向のコンタクトの実装端を本体部材の両側に分けて設けることにより直交する二方向の３面に、あるいは二方向の実装端をともに本体部材の両側に分けて設けることにより直交する全周面（４面）に、実装端を設けることができる。これにより、本体部材の外周面を有効に活用して小さい実装面積で二つのカード状記録媒体を着脱自在に装着するカードコネクタを提供することができる。
【００１１】
【発明の実施の形態】
以下、図面を参照して本発明の好ましい実施形態について説明する。まず、図１、図２に本発明の好ましい実施例であるカードコネクタ１を斜視図として示し、図８には、このカードコネクタ１を携帯電話に搭載した適用例を示している。なお、以降の説明では、図２中に座標軸を付記する各軸につき、Ｘ軸方向を前後方向、Ｙ軸方向を左右方向、Ｚ軸方向を上下方向と規定して説明する。
【００１２】
カードコネクタ１は、プリント基板Ｂ1に表面実装されて、このコネクタに装着された２種のカード（カード状の情報記録媒体図）５１，５２と基板Ｂ1に形成された回路との間で情報伝達を行うカードコネクタである。カードコネクタ１は、第１カード（例えば、ＳＤカード(登録商標)）５１を挿脱自在に接続する第１コネクタ部１０と、第２カード（例えば、ＳＩＭカード(登録商標)）５２を着脱自在に接続する第２コネクタ部２０とからなり、第２コネクタ部２０が第１コネクタ部１０の上部に重ねて設けられて一体のカードコネクタを形成する。
【００１３】
カードコネクタ１は、第１コネクタ部１０と第２コネクタ部２０の共通したベースとなる本体部材１１、図１に開いた状態を示し図２に閉じた状態を示すように、本体部材１１の上部に揺動開閉自在に取り付けられた蓋部材２１、第１コネクタ部１０に配設されて第１カード５１と回路基板との間の情報伝達を行う第１コンタクト３１、第２コネクタ部２０に配設されて第１カード５１と回路基板との間の情報伝達を行う第２コンタクト３２などから構成されている。
【００１４】
なお、図２中にIII矢視で示す上面図を図３に、IV矢視で示す正面図を図４に、V矢視で示す右側面図を図５に示し、さらに、図３中にVI-VI矢視で示す断面図を図６に、VII-VII矢視で示す断面図を図７に示しており、以下、これ等の各図を参照して各部の構成について説明する。
【００１５】
本体部材１１と蓋部材２１とは、例えば、ポリ・フェニレン・サルファイド（ＰＰＳ樹脂）や液晶ポリマー（ＬＣＰ）等の電気絶縁性樹脂材を射出成形などの公知の成形技術を用いて形成される。本体部材１１には、本体部材の前面に開いて受容開口１２が形成され、この受容開口１２の奥に第１カード５１を受容するスロット状の受容部１３が形成されている。受容部の左右には第１カード５１の左右端部をガイドするガイド部１１ａが形成されている。また、受容部１３の最深部には、この受容部に挿入された第１カード５１の先端部が当接してカードの挿入を停止させる壁面部１１ｂが形成されており、この壁面部に本体部材１１の外側から複数の第１コンタクト３１が圧入されて係止保持されている。
【００１６】
第１コンタクト３１は、図７中に長手方向の側面図を示し、図４及び図６中にこれと直交する方向の正面図を示すように、細長いフィンガー状で多段に屈曲された形状に成形されており、その一端に第１カードの端子と接触する接触部３１ａ、他端側に実装基板の回路パターンと半田接合されるテール部３１ｂ、これ等の間に本体部材に圧入保持される保持部３１ｃが形成されている。なお、第１コンタクト３１及び後述する第２コンタクト３２は、銅合金等の高伝導率かつバネ性を有した金属材料を用い、ファインブランキング等の公知のプレス加工により打ち抜き成型し必要に応じてニッケルメッキや金メッキ、錫合金メッキ等の表面処理を施して形成される。
【００１７】
このように形成される複数の第１コンタクト３１が、本体部材１１の外側（後端側）に所定間隔で設けられたスリットから圧入され、保持部３１ｃが本体部材に係止されて整列保持される。本体部材１１の内部に挿入された接触部３１ａ，３１ａ…は受容部１３内に上方に向けて突出配設され、第１カードが受容部１３に装着されたときに弾性変形して第１カードの下面に設けられた各端子と所定の接触圧を保持して接触する。本体部材１１から外側に延びるテール部３１ｂは、本体部材１１の下面と平行にかつ本体部材下面よりもわずかに下方に突出する高さ位置に保持され、基板実装時に基板の回路パターンと半田接合される。
【００１８】
このようにして、本体部材１１の下部に第１コネクタ部１０が構成され、本体部材１１前方の受容開口１２から第１カード５１が装着されたときに、受容部１３の内部においてカード下面の複数の端子と第１コンタクトの接触部３１ａ，３１ａ…とがコネクタ接続されて、コンタクト３１，３１…を介して第１カード５１と基板回路との間で情報伝達が行われる。
【００１９】
本体部材１１の上面は受容部１３との仕切を兼ねる隔壁部１１ｃが形成され、この隔壁部１１ｃに複数の第２コンタクト３２，３２…が設けられている。第２コンタクト３２は、第１コンタクト３１と同様に細長いフィンガー状に成形されており、その一端部に第２カードの端子と接触する円弧状の接触部３２ａ、他端側に実装基板の回路パターンと半田接合されるテール部３２ｂ、これ等の間に本体部材に圧入保持される保持部３２ｃが形成されている。
【００２０】
第２コンタクト３２は、本体部材１１の左右に所定間隔で設けられたスリットから圧入され保持部３２ｃが本体部材に係止されて整列保持される。隔壁部１１ｃには窓状の開口１１ｄが設けられており、圧入保持されたコンタクト３２の接触部３２ａがこの開口１１ｄから上方に付勢されて突出配設される。第２コンタクト３２は図６に示すようにカンチレバー状に支持されており、接触部３２ａが上方から押圧されたときに撓み変形自在になっている。本体部材１１から外側に延びるテール部３１ｂは、本体部材１１の下面と平行にかつ本体部材下面よりもわずかに下方に突出する高さ位置に保持され、基板実装時に基板の回路パターンと半田接合される。
【００２１】
蓋部材２１は本体部材１１の上部にＹ−Ｚ面内に揺動開閉自在に取り付けられており、この蓋部材が閉じられたときに蓋部材の下面と隔壁部１１ｃ上面との間に平行な保持空間２３が形成されるように構成されている。保持空間２３を挟む蓋部材の前後には、第２カード５２の側端部を摺動自在にガイドするガイド溝２１ａが形成されている。このため、第２カード５２をガイド溝２１ａに沿って蓋部材２１に挿入し、蓋部材２１を揺動倒伏させて閉じることにより、第２カード５２を保持空間２３に配置させることができる。
【００２２】
蓋部材のガイド溝２１ａに係止保持された第２カード５２を蓋部材２１とともに揺動倒伏させて、第２カード５２が保持空間２３内に移動されると、第２カード下面に設けられた端子と開口１１ｄから突出する接触部３２ａとが当接する。上記したように、第２コンタクト３２はカンチレバー状に支持されており、第２カードの端子と第２コンタクトの接触部とが当接した後さらに蓋部材２１を押圧して第２カードを保持空間２３内に装着することにより、第２コンタクト３２が弾性変形して第２カード下面に設けられた各端子と所定の接触圧をもって接続する。
【００２３】
蓋部材２１には、ガイド溝２１ａと平行に摺動自在にスライドロック２２が取り付けられており、蓋部材２１を閉じてスライドロック２２を摺動移動させることにより、スライドロックの端部を突出させ本体部材１１と係合させて、蓋部材２１を閉じた状態でロックできる。このため、蓋部材に第２カード５２を係止させて蓋部材２１を閉じスライドロック２２をロックすることにより、第２コンタクトの弾性力に抗して第２カード５２を保持空間２３内に装着固定することができる。
【００２４】
このようにして、本体部材１１の上部に第２コネクタ部２０が構成され、蓋部材を閉じて第２カード５２が装着されたときに、保持空間２３においてカード下面の複数の端子と第２コンタクトの接触部３２ａ，３２ａ…とがコネクタ接続されて、コンタクト３２，３２…を介して第２カード５２と基板回路との間で情報伝達が行われる。
【００２５】
第１コネクタ部１０と第２コネクタ部２０とが上下に重ねて構成されるため、一方のコネクタ部の実装面積で二つのカードを装着可能なカードコネクタを提供することができる。また、第１コンタクト３１と第２コンタクト３２とが平面視直交する方向に延びて各実装端が本体部材１１の直交する二方向の三面に並んで配設されるため、基板回路の専有面積を小さく構成することができる。また、第１コネクタ部と第２コネクタ部との間の隔壁部では絶縁部材を共用することができるため、カードコネクタ全体を小型軽量化し部品コストを低減することができる。さらに、二つのカードコネクタを一体に構成するため、カードコネクタのコストのみならず部品の管理コストや組立工数を低減することができる。このため、このようなカードコネクタを搭載する携帯電話や情報処理端末等では、多機能でありながら小型軽量でローコストな製品を構築することができる。
【００２６】
例えば、図８に示すように、カードコネクタ１を携帯電話に適用することにより、第２カードには予め機種に応じた基本機能を記録させて出荷時に電話機本体に装着させ、第１カードには必要時に使用する付加機能を記録させて必要時に目的とする機能の第１カードを選択して電話機側面の開口部から挿入接続させて機能させる等、小型軽量で多機能な製品を低価格で提供することができる。
【００２７】
次に、他の本発明に係るカードコネクタの好ましい実施形態について、図９から図１４を参照して説明する。このカードコネクタ２は、上述したカードコネクタ１と同様にプリント基板Ｂ2に表面実装され、２種類のカード５１，５２と基板Ｂ2に形成された回路との間で情報伝達を行うカードコネクタである。カードコネクタ２は、第１カード５１を挿脱自在に接続する第１コネクタ部１５と、第２カード５２を着脱自在に接続する第２コネクタ部２５とからなり、第１コネクタ部１５と第２コネクタ部２５とが左右に並んで設けられて一体のカードコネクタを形成するものである。
【００２８】
なお、図９にカードコネクタ２の斜視図を示すとともに、図中に付記する座標軸のＸ軸方向を前後方向、Ｙ軸方向を左右方向、Ｚ軸方向を上下方向と規定して説明する。また、図９中にX矢視で示す上面図を図１０に、XI矢視で示す正面図を図１１に示し、図１０中にXII-XII矢視で示す断面図を図１２に、XIII-XIII矢視で示す断面図を図１３に示している。また図１４はカードコネクタ２が携帯電話のプリント基板Ｂ2に搭載された状態を示している。
【００２９】
カードコネクタ２は、第１コネクタ部１５と第２コネクタ部２５の共通したベースとなる本体部材１６、第１コネクタ部１５の側方の本体部材１６に揺動開閉自在に取り付けられた蓋部材２１、第１コネクタ部１５に配設されて第１カード５１と回路基板との間の情報伝達を行う第１コンタクト３６、第２コネクタ部２０に配設されて第１カード５１と回路基板との間の情報伝達を行う第２コンタクト３７などから構成されている。本体部材１６、蓋部材２１、第１コンタクト３６、第２コンタクト３７等は前述したカードコネクタ１と同様の材料を同様の加工手段を用いて形成されている。
【００３０】
本体部材１６には、前面に開いて受容開口１７が形成され、この受容開口１７の奥に第１カード５１を受容するスロット状の受容部１８が形成されている。受容部の左右には第１カード５１の左右端部をガイドするガイド部１６ａが形成されている。また、受容部１８にはこの受容部に挿入された第１カード５１の先端部が当接してカードの挿入を停止させる壁面部１６ｂが形成されており、受容部内には複数の第１コンタクト３６が整列保持されている。
【００３１】
第１コンタクト３６は、細長いフィンガー状で多段に屈曲され一端に第１カードの端子と接触する接触部３６ａ、他端側に実装基板の回路パターンと半田接合されるテール部３６ｂ、これ等の間に本体部材に圧入保持される保持部３６ｃが形成されている。そして、このように形成された複数の第１コンタクト３６が、本体部材１６における受容開口１７の下面に所定間隔で設けられたスリットから壁面部１６ｂに向けて圧入され、保持部３６ｃが本体部材に係止されて平行に整列保持される。
【００３２】
本体部材１６の内部に挿入された接触部３６ａ，３６ａ…は受容部１８内に上方に向けて突出配設され、第１カードが受容部１８に装着されたときに弾性変形して第１カードの下面に設けられた各端子と所定の接触圧を保持して接触する。また、本体部材１６から外側に延びるテール部３６ｂは、本体部材１６の下面と平行にかつ本体部材下面よりもわずかに下方に突出する高さ位置に保持され、基板実装時に基板の回路パターンと半田接合される。
【００３３】
このようにして第１コネクタ部１５が構成され、本体部材１６前方の受容開口１７から第１カード５１が装着されたときに、受容部１８の内部においてカード下面の複数の端子と第１コンタクトの接触部３６ａ，３６ａ…とがコネクタ接続されて、コンタクト３６，３６…を介して第１カード５１と基板回路との間で情報伝達が行われる。
【００３４】
第１コネクタ部１５と左右に並んで、第２コネクタ部２５が構成される。第２コネクタ部２５は、第１コネクタ部１５から連続して延び共通の底面を形成する本体部材の底面部１６ｃ上に構成されており、この底面部１６ｃに複数の第２コンタクト３７，３７…が設けられている。この底面部１６ｃは前述した実施例における隔壁部１１ｃに相当し、第２コネクタ部２５は、図１３にその断面図を示すように、この底面部１６上に前述した第２コネクタ部２０と略同一の構成を有して構成されている。
【００３５】
第２コンタクト３７は、細長いフィンガー状に成形されており、その一端部に第２カードの端子と接触する円弧状の接触部３７ａ、他端側に実装基板の回路パターンと半田接合されるテール部３７ｂ、これ等の間に本体部材に圧入保持される保持部３７ｃが形成されている。そして、複数の第２コンタクト３７が底面部１６ｃの前後に所定間隔で設けられたスリットから圧入されて保持部３７ｃが本体部材に整列保持され、カンチレバー状に延びるコンタクトの接触部３７ａが底面部１６ｃに設けられた窓状の開口から上方に付勢されて突出配設される。
【００３６】
このため、第２コンタクト３７は接触部３７ａが上方から押圧されたときに撓み変形自在になっている。本体部材１６から外側に延びるテール部３６ｂは、本体部材１６の下面と平行にかつ本体部材下面よりもわずかに下方に突出する高さ位置に保持され、基板実装時に基板の回路パターンと半田接合される。
【００３７】
前述した実施例と同一構成の蓋部材２１は、本体部材１６の上部にＸ−Ｚ面内に揺動開閉自在に取り付けられており、この蓋部材が閉じられたときに蓋部材の下面と隔壁部１６ｃ上面との間に平行な保持空間２３が形成される。保持空間２３を挟む蓋部材の左右には、第２カード５２の側端部を摺動自在にガイドするガイド溝２１ａが形成され、また蓋部剤の上部には本体部材１６とスライド係合自在なスライドロック２２が取り付けられている。
【００３８】
このため、第２カード５２をガイド溝２１ａに沿って蓋部材２１に挿入し、蓋部材２１を揺動倒伏させて閉じることにより、第２カード５２を保持空間内に移動させて第２カードの端子と第２コンタクトの接触部とを接続させ、さらに蓋部材２１を押圧してスライドロック２２をロックすることにより、第２カード下面に設けられた各端子と所定の接触圧を維持して第２カードを保持空間内に装置着保持する。
【００３９】
このようにして、第１コネクタ１５と並んで第２コネクタ部２５が構成され、第２カード５２が装着されたときに、保持空間２３においてカード下面の複数の端子と第２コンタクトの接触部３７ａ，３７ａ…とがコネクタ接続されて、コンタクト３７，３７…を介して第２カード５２と基板回路との間で情報伝達が行われる。第１コネクタ部１５と第２コネクタ部２５とは左右に並んで構成されており、第１または第２コネクタ部と同一の厚さで二つのカードを装着可能なカードコネクタを構成することができる。また、二つのカードコネクタを一体に構成するため、カードコネクタのコストのみならず部品の管理コストや組立工数を低減することができる。このため、このようなカードコネクタを搭載する携帯電話や情報処理端末等では、多機能でありながら薄型軽量でローコストな製品を構築することができる。
【００４０】
なお、以上の実施例ではカードコネクタ１，２として基板に表面実装される、いわゆるサーフェースマウントタイプのカードコネクタを例示したが、第１及び第２コンタクトのテール部を適宜変更することにより、スルーホール基板に実装されるカードコネクタとして適用することも可能である。また、実施例では第１カード第２カードとしてＳＤカード，ＳＩＭカード（ともに登録商標）を例示したが、カード状記録媒体の種類はこれ等に限定されるものではなく、他種のカード状記録媒体であっても良い。
【００４１】
【発明の効果】
以上説明したように、本発明は本体部材、蓋部材、第１コンタクト及び第２コンタクトからなり、本体部材の下部に形成された受容部とこの受容部に配設された第１コンタクトとで第１のカード状記録媒体を挿抜自在に接続する第１コネクタ部を構成し、本体部材上部に揺動開閉自在に取り付けられた蓋部材と受容部上方の本体部材に配設された第２コンタクトとで第２のカード状記録媒体を着脱自在に接続する第２コネクタ部を構成してカードコネクタを構成する。このため、一つカードコネクタの実装面積で二つのカード状記録媒体を着脱自在に装着する一体のカードコネクタを提供することができ、また、これにより部品点数や組立工数等を削減してローコストなカードコネクタ及び実装基板を提供することができる。
【００４２】
また、他の本発明は本体部材、蓋部材、第１コンタクト及び第２コンタクトからなり、本体部材に形成された受容部とこの受容部に配設された第１コンタクトとで第１のカード状記録媒体を挿抜自在に接続する第１コネクタ部を構成し、この第１コネクタ部の受容部側方に延びる本体部材に揺動開閉自在に取り付けられた蓋部材と受容部側方に延びる本体部材に配設された第２コンタクトとで第２のカード状記録媒体を着脱自在に接続する第２コネクタ部を構成してカードコネクタを構成する。このため、一つカードコネクタの実装厚さで二つのカード状記録媒体を着脱自在に装着する一体のカードコネクタを提供することができ、また、これにより部品点数や組立工数等を削減してローコストなカードコネクタ及び実装基板を提供することができる。
【図面の簡単な説明】
【図１】本発明に係るカードコネクタの好ましい実施例を示す図面であり、本体上部の蓋部材を開いた状態を示す斜視図である。
【図２】上記カードコネクタ１の蓋部材を閉じた状態を示す斜視図ある。
【図３】図２中にIII矢視で示す上記カードコネクタ１の平面図である。
【図４】図２中にIV矢視で示す上記カードコネクタ１の正面図である。
【図５】図２中にV矢視で示す上記カードコネクタ１の側面図である。
【図６】図３中にVI-VI矢視で示す上記カードコネクタ１の断面図である。
【図７】図３中にVII-VII矢視で示す上記カードコネクタ１の断面図である。
【図８】上記カードコネクタ１を携帯電話の基板に実装した状態を示す説明図である。
【図９】他の本発明に係るカードコネクタの好ましい実施例を示す図面であり、本体上部の蓋部材を閉じた状態を示す斜視図である。
【図１０】図９中にX矢視で示す上記カードコネクタ２の平面図である。
【図１１】図９中にXI矢視で示す上記カードコネクタ２の正面図である。
【図１２】図１０中にXII-XII矢視で示す上記カードコネクタ２の断面図である。
【図１３】図１０中にXIII-XIII矢視で示す上記カードコネクタ２の断面図である。
【図１４】上記カードコネクタ２を携帯電話の基板に実装した状態を示す説明図である。
【符号の説明】
１，２  カードコネクタ
１１，１６  本体部材
２１，２６  蓋部材
３１，３６  第１コンタクト
３２，３７  第２コンタクト
５１  第１カード（第１のカード状記録媒体）
５２  第２カード（第２のカード状記録媒体）
【図１】
0004671484.tif 000002
【図２】
0004671484.tif 000003
【図３】
0004671484.tif 000004
【図４】
0004671484.tif 000005
【図５】
0004671484.tif 000006
【図６】
0004671484.tif 000007
【図７】
0004671484.tif 000008
【図８】
0004671484.tif 000009
【図９】
0004671484.tif 000010
【図１０】
0004671484.tif 000011
【図１１】
0004671484.tif 000012
【図１２】
0004671484.tif 000013
【図１３】
0004671484.tif 000014
【図１４】
0004671484.tif 000015